(57)【特許請求の範囲】
【請求項１】
受像した映像を表示する受像回路と、上記受像回路を駆動するための駆動電源と、上記受像回路に対して上記駆動電源の出力をオン／オフするスイッチで構成され、光検出手段が検出する周囲明るさのレベル変動に応じて上記スイッチをオン／オフして上記受像回路の駆動を制御する電源制御装置であって、
上記受像回路が設置されている場所の明るさが第１の明るさ以上であることを検出する照明オン検出手段と、
上記照明オン検出手段によって明るさが上記第１の明るさ以上であることが検出された後に、予め定めた第１の時間内に上記第１の明るさよりも低い第２の明るさ以下に遷移したことを検出する明るさ遷移検出手段と、
上記第２の明るさ以下に遷移した後に、上記第２の明るさが予め定めた第２の時間継続することを検出する照明オフ検出手段とで構成された電源制御手段を備え、
上記電源制御手段は、上記照明オフ検出手段の検出結果に基づいて上記スイッチをオフとして上記受像回路の駆動を停止することを特徴とする電源制御装置。
【請求項２】
上記電源制御手段は、上記光検出手段が検出する明るさのレベルが上記第１の明るさ以上であることを検出する第１のコンパレータ、上記光検出手段が検出する周囲明るさのレベルが上記第２の明るさ以下であることを検出する第２のコンパレータ、上記第１のコンパレータおよび第２のコンパレータの検出結果に基づいて、上記照明オン検出、明るさ遷移検出、照明オフ検出を行うマイコンで構成されていることを特徴とする請求項１に記載の電源制御装置。
【請求項３】
上記電源制御手段は、上記光検出手段が検出する周囲明るさに対応する電圧が入力されるＡ／Ｄコンバータ、上記第１の明るさおよび上記第２の明るさに対応する上記Ａ／Ｄコンバータの出力値が予め記憶されているマイコンで構成されており、上記マイコンは、上記Ａ／Ｄコンバータの出力に基づいて、上記照明オン検出、明るさ遷移検出、照明オフ検出を行うことを特徴とする請求項１に記載の電源制御装置。
【請求項４】
上記光検出手段は、所定の間隔を設けて配置された第１の光検出器と第２の光検出器で構成され、
上記電源制御手段は、上記第１の光検出器が検出する周囲明るさに対応する電圧が入力される第１のＡ／Ｄコンバータ、上記第２の光検出器が検出する周囲明るさに対応する電圧が入力される第２のＡ／Ｄコンバータ、上記第１の明るさおよび上記第２の明るさに対応する上記第１のＡ／Ｄコンバータと上記第２のＡ／Ｄコンバータの出力値が予め記憶されているマイコンとで構成されており、
上記照明オフ検出手段は、上記第１の光検出器および第２の光検出器の検出レベルが、上記第２の明るさに対応するレベル以下であるときに照明オフと判断することを特徴とする請求項３に記載の電源制御装置。
【請求項５】
上記光検出手段は、所定の間隔を設けて配置された第１の光検出器と第２の光検出器で構成され、
上記電源制御手段は、上記第１の光検出器が検出する周囲明るさに対応する電圧が入力される第１のＡ／Ｄコンバータ、上記第２の光検出器が検出する周囲明るさに対応する電圧が入力される第２のＡ／Ｄコンバータ、上記第１の明るさおよび上記第２の明るさに対応する上記第１のＡ／Ｄコンバータと上記第２のＡ／Ｄコンバータの出力値が予め記憶されているマイコンとで構成されており、
上記照明オフ検出手段は、上記第１の光検出器と第２の光検出器の検出レベルが、上記第２の明るさに対応するレベル以下になった時刻の差が所定の時間以内であるときに照明オフと判断することを特徴とする請求項３に記載の電源制御装置。
【請求項６】
請求項１〜５のいずれか１項に記載の電源制御装置を備えたことを特徴とする映像表示装置。
【請求項７】
映像表示装置の駆動電源をオン／オフ制御する電源制御方法であって、
上記映像表示装置が設置されている部屋の照明が点灯されており、上記部屋の明るさが第１の明るさ以上であることを検出する照明オン検出ステップと、
上記照明オン検出ステップにおいて部屋の明るさが上記第１の明るさ以上であることが検出された後に、予め定めた第１の時間内に上記第１の明るさよりも低い第２の明るさ以下に遷移することを検出する明るさ遷移検出ステップと、
上記第２の明るさ以下に遷移した後に、上記第２の明るさ以下の状態が予め定めた第２の時間継続したことを検出すると、照明オフであると判断する照明オフ検出ステップとを有し、
上記照明オフ検出ステップにおける検出結果に基づいて、上記映像表示装置の駆動電源をオフにすることを特徴とする電源制御方法。
【請求項８】
上記部屋の明るさは、所定の間隔を設けて配置された第１の光検出器と第２の光検出器を用いて検出され、
上記照明オフ検出ステップは、上記第１の光検出器と第２の光検出器の検出レベルが、上記第２の明るさに対応するレベル以下であるときに照明オフと判断することを特徴とする請求項７に記載の電源制御方法。
【請求項９】
上記部屋の明るさは、所定の間隔を設けて配置された第１の光検出器と第２の光検出器を用いて検出され、
上記照明オフ検出ステップは、上記第１の光検出器と第２の光検出器の検出レベルが、上記第２の明るさに対応するレベル以下になった時刻の差が所定の時間以内であるときに照明オフと判断することを特徴とする請求項７に記載の電源制御方法。
【発明の詳細な説明】
【技術分野】
【０００１】
本発明は、周囲の明るさに応じてテレビジョン受像機等の映像表示装置の電源を自動的にオン／オフ制御する電源制御装置、電源制御方法およびこの電源制御装置を備えた映像表示装置に関するものである。
【背景技術】
【０００２】
従来のテレビジョン受像機においては、その電源の入り／切り、または待機状態の切換は、使用者（視聴者）がリモコンまたはテレビジョン受像機の本体に配置されている電源ボタンを押すことによって、手動で行う必要があった。
従って、就寝する際の消灯の前に、必ずリモコンまたはテレビジョン受像機本体の電源ボタンを押してテレビジョン受像機の電源を切る必要があった。
逆に、テレビジョン受像機の電源を切り忘れたときには、無駄な電力が消費されてしまうことになる。
【０００３】
この電源切り忘れに対する改善策として、一定時間以上の間テレビジョン受像機の無操作状態が続けば、自動的に自身の電源を切るテレビジョン受像機もある。
また、テレビジョン受像機の前方において、動く物体を一定時間以上検出しなければ、自動的に自身の電源を切るものもある。（例えば、特許文献１を参照）
さらに、情報処理装置や携帯電話機においては、周囲の明るさを検出し、明るさが所定の基準値よりも暗くなると、即時に、あるいは所定時間経過後に、自動的に自身の電源を切るものもある（例えば、特許文献２あるいは特許文献３を参照）。
【特許文献１】特開２０００−２９５５４３号公報（図１、段落０００７）
【特許文献２】特開平５−１１９８７４号公報（図１、段落０００９）
【特許文献２】特開平１１−９８２２６号公報（図１、段落０００８）
【発明の開示】
【発明が解決しようとする課題】
【０００４】
しかし、一定時間以上の間テレビジョン受像機の無操作状態が続けば自動的に自身の電源を切るように構成された従来のテレビジョン受像機においては、使用者がテレビを視聴中に電源が切れることを避けるため、数時間程度の十分長い時間の無操作状態を検出する必要がある。
従って、その間は無駄な電力が消費されることになり、それを避けるためには、結局、使用者が自らテレビジョン受像機の電源を切ることが必要となる。
また、特許文献１（特開２０００−２９５５４３号公報）に示されているテレビジョン受像機用電源制御装置においては、物体の動きを検出する検出センサーが必要となり、コストアップの原因となる。
【０００５】
また、特許文献２（特開平５−１１９８７４号公報）あるいは特許文献３（特開平１１−９８２２６号公報）の技術を応用したテレビジョン受像機では、部屋の明るさをある１つの閾値だけで判定することになる。
従って、日暮れかけて徐々に暗くなるときに部屋の照明を点灯せずにテレビジョン受像機を見ていると、視聴者がテレビジョン受像機を視つづけるつもりであっても、意図せずにテレビジョン受像機の電源が切れてしまう、という問題があった。
【０００６】
この発明は、このような問題点を解決するためになされたものであり、日暮れに部屋の明るさが徐々に暗くなるような場合に視聴していたテレビジョン受像機等の映像表示装置の電源が意図せず切れることはなく、且つ、夜に部屋の照明を消したときには自動的に映像表示装置の電源を切ることができる電源制御装置および電源制御方法を提供することを目的とする。
【課題を解決するための手段】
【０００７】
この発明に係わる電源制御装置は、受像した映像を表示する受像回路と、上記受像回路を駆動するための駆動電源と、上記受像回路に対して上記駆動電源の出力をオン／オフするスイッチで構成され、光検出手段が検出する周囲明るさのレベル変動に応じて上記スイッチをオン／オフして上記受像回路の駆動を制御する電源制御装置であって、
上記受像回路が設置されている場所の明るさが第１の明るさ以上であることを検出する照明オン検出手段と、上記照明オン検出手段によって明るさが上記第１の明るさ以上であることが検出された後に、予め定めた第１の時間内に上記第１の明るさよりも低い第２の明るさ以下に遷移したことを検出する明るさ遷移検出手段と、上記第２の明るさ以下に遷移した後に、上記第２の明るさが予め定めた第２の時間継続することを検出する照明オフ検出手段とで構成された電源制御手段を備え、
上記電源制御手段は、上記照明オフ検出手段の検出結果に基づいて上記スイッチをオフとして上記受像回路の駆動を停止するものである。
【０００８】
この発明に係わる電源制御方法は、映像表示装置の駆動電源をオン／オフ制御する電源制御方法であって、
上記映像表示装置が設置されている部屋の照明が点灯されており、上記部屋の明るさが第１の明るさ以上であることを検出する照明オン検出ステップと、上記照明オン検出ステップにおいて部屋の明るさが上記第１の明るさ以上であることが検出された後に、予め定めた第１の時間内に上記第１の明るさよりも低い第２の明るさ以下に遷移することを検出する明るさ遷移検出ステップと、上記第２の明るさ以下に遷移した後に、上記第２の明るさ以下の状態が予め定めた第２の時間継続したことを検出すると、照明オフであると判断する照明オフ検出ステップとを有し、
上記照明オフ検出ステップにおける検出結果に基づいて、上記映像表示装置の駆動電源をオフにするものである。
【発明の効果】
【０００９】
この発明の電源制御装置あるいは電源制御方法によれば、日暮れに部屋の明るさが徐々に暗くなるような場合には意図せずテレビジョン受像機等の映像表示装置の電源が切れることはなく、且つ、夜に部屋の照明を消したときには自動的に映像表示装置の電源を切ることができる。
【発明を実施するための最良の形態】
【００１０】
以下、図面に基づいて本発明の一実施の形態について説明する。
なお、各図間において、同一符合は、同一あるいは相当のものであることを表す。
実施の形態１．
図１は、この発明に係わる電源制御装置の構成を概念的に示すブロック図である。
図に示すように、この発明による電源制御装置は、周囲の明るさを検出し、明るさに応じた検出信号を出力する光検出手段１、該光検出手段１からの検出信号を入力し、入力された検出信号に基づいて電源の入り／切りを判断する電源制御手段２、電源制御手段２によって入り／切りされるスイッチ３、受像回路を駆動する駆動電源４、映像を表示する受像回路５で構成されている。
【００１１】
なお、受像回路５は、例えばテレビジョン受像機が受像する映像信号を表示するものであり、駆動電源４は、テレビジョン受像機が受像する映像信号を受像して表示する受像回路５の駆動電源である場合を例にして説明する。
即ち、本実施の形態による電源制御装置は、映像表示装置の一例であるテレビジョン受像機の電源をオン／オフ制御するものであるとして説明する。
【００１２】
図２は、この発明の実施の形態１に係わる電源制御装置の概略の構成を示すブロック図であり、図１の光検出手段１および電源制御手段１の一具体例を示したものである。
本実施の形態による電源制御装置において、光検出器１１はテレビジョン受像機が設置されている周囲の明るさを検出し、例えば、０ｌｘ（ｌｘ：ルクス）から１００ｌｘ以上の範囲で周囲の明るさに概比例する電圧を出力する。
なお、この光検出器１１は、図１における光検出手段１に相当するものであり、テレビジョン受像機の本体（筐体）に配置されている。
【００１３】
また、電源制御手段２１（図１の電源制御手段２に相当）は、光検出器１１からの電圧が入力され、例えば３０ｌｘの明るさ（第１の明るさとする）に相当する電圧以上が入力されたら“Ｈ”の制御信号を出力する第１のコンパレータ６１、光検出器１１からの電圧が入力され、例えば１０ｌｘの明るさ（第２の明るさとする）に相当する電圧以下が入力されたら“Ｈ”の制御信号を出力する第２のコンパレータ６２、内部にＣＰＵ、タイマ、メモリ等を有し、前記第１のコンパレータ６１と第２のコンパレータ６２からの制御信号が入力され、後述するアルゴリズムによって電源制御を行うマイコン９１によって構成されている。
【００１４】
電源制御手段２１のマイコン９１は、第１のコンパレータ６１および第２のコンパレータ６２からの制御信号に基づいて、スイッチ３を入り／切りして、駆動電源４から出力される電源電圧の受像回路５への印加／不印加を制御する。
即ち、電源制御手段２１のマイコン９１は、第１のコンパレータ６１および第２のコンパレータ６２からの制御信号に基づいて、スイッチ３をオン／オフ制御して、受像回路５を動作状態あるいは不動作状態に制御する。
【００１５】
以下、本実施の形態による電源制御装置の動作について説明する。
図３は、テレビジョン受像機等の映像表示装置が設置されている場所（例えば、室内）の動作環境の変化（即ち、明るさの変化）例を示す図である。
まず、夜に照明をつけた状態から部屋の照明を消したときのことを考える。
図３中の照明オン期間のように、夜に部屋の照明がオンされていて、テレビジョン受像機の光検出器１１における照度が５０ｌｘであった場合について説明する。
このとき、光検出器１１から出力される電圧によって、第１のコンパレータ６１の出力は“Ｈ”となり、一方、第２のコンパレータ６２の出力は“Ｌ”となる。
【００１６】
次に、図３中の明るさ遷移期間のように、部屋の照明が消され、照明器具からの発光量が減少しつつある明るさ遷移状態において、光検出器１１における照度が、例えば、２０ｌｘ程度になったところで光検出器１１が明るさを検出した場合は、第１のコンパレータ６１出力は“Ｌ”となり、第２のコンパレータ６２の出力は“Ｌ”のままとなる。
さらに、図３中の照明オフ期間のように、照明器具からの発光が止まり、光検出器１１における照度が第２の明るさである１０ｌｘ以下または未満になった場合は、第１のコンパレータ６１の出力は“Ｌ”のままであるが、第２のコンパレータ６２の出力は“Ｈ”になる。
【００１７】
この過程において、第１のコンパレータ６１および第２のコンパレータ６２の制御信号（即ち、第１のコンパレータ６１および第２のコンパレータ６２の出力信号）を入力するマイコン９１は以下のように動作する。
マイコン９１は、定期的に（ここでは５０ｍｓごとに）、第１のコンパレータ６１および第２のコンパレータ６２からの制御信号を判定し、図４に示すようなアルゴリズムに従って、電源制御を行う。
この制御信号の判定周期については、照明オフ時の明るさ遷移期間や、部屋の中での人の移動などを検知するためにも、数１００ｍｓ以内にしておくことが望ましい。
【００１８】
以下、図４に従って、本実施の形態における電源制御手段の動作アルゴリズムについて説明する。
まず、予め、照明オン期間の時間を測定するためのオンカウンタ、明るさ遷移期間の時間を測定する遷移カウンタ、照明オフ期間の時間を測定するオフカウンタを用意し、初期段階（初期設定ステップ）では、いずれも“０”としておく。（ステップＳ１０１）
次に、照明オン検出ステップ（ステップＳ１０２）において、照明がオンされている状態が所定の時間（例えば、ここでは２秒とする）続いていることを検出する。
【００１９】
照明がオンかどうか、即ち、第１のコンパレータ６１からの制御信号が“Ｈ”であるかどうかを判定し、“Ｈ”（照明がオン）ならばオンカウンタを１つ増やし、次の５０ｍｓ後の判定を待つ（５０ｍｓウエイト）。
逆に、第１のコンパレータ６１からの制御信号が“Ｌ”（照明はオンではない）ならば、照明が消された可能性があり、オンカウンタが４０以上、即ち照明オン状態が２秒以上続いていた場合に限り、次の明るさ遷移検出ステップ（Ｓ１０３）に移行する。
オンカウンタが４０未満、即ち、照明オン状態が２秒続いていなかった場合は、オンカウンタを“０”クリアし、最初から照明オン検出ステップをやりなおす。
【００２０】
明るさ遷移検出ステップ（ステップＳ１０３）では、照明オンの状態でなくなってから（例えば、第１の明るさである３０ｌｘ以下または未満の状態になってから）の時間を計測する。
即ち、このステップにおいては、５０ｍｓごとに明るさ遷移カウンタが１つずつ増加してゆき、明るさ遷移カウンタが“１２０”になっていたら（即ち、６秒以内に後述する電源オフ処理までたどりつけなかったら）全てのカウンタを“０”クリアし、照明オン検出ステップの最初からやり直しとなり、明るさ遷移カウンタがまだ“１２０”になっていなかったら、照明オフ検出ステップ（ステップＳ１０４）に移行する。
【００２１】
照明オフ検出ステップ（ステップＳ１０４）では、照明がオフの状態（即ち、第２のコンパレータ６２が“Ｈ”である状態）が所定の期間（ここでは４秒）継続することを検出する。
この照明オフ検出ステップでは、照明オフ状態（即ち、第２のコンパレータ６２の出力が“Ｌ”）ならば、オフカウンタを１つ増やし、オフカウンタが“８０”になっていたら（即ち、４秒連続で照明オフ状態が続いていたら）、スイッチ３をオフとし、駆動電源４から受像回路５への電源供給をオフする。
逆に照明オフ状態でなければ、まだ明るさ遷移期間中であるとみなし、オフカウンタを０クリアして照明オフ検出を最初から行う。
ここで、前述のとおり、「遷移検出ステップにて６秒を計測する間に、照明オフ検出ステップで４秒連続して照明オフであることを検出すれば電源オフされる」ということは、裏を返せば、「遷移期間が６−４＝２秒以内であれば電源オフされる」ということになる。
【００２２】
上記のように、照明オン状態が所定時間（ここでは２秒）続いていることを検出するので、光検出器から出力される瞬間的なノイズによって誤動作を起こすこともなく、さらには使用者が確実に照明をつけた状態を検出することが可能である。
ここで、照明オン状態の検出時間については、ノイズの排除と照明をつけてテレビジョン受像機を視聴していたことを確認できる時間であれば良いので、２秒にこだわる必要はなく、ノイズが問題にならないシステムであれば、照明オン状態を“一瞬”検出するだけでも日暮れ時の徐々に暗くなるケースを排除するという主目的は達せられる。
また、照明がついている状態から２秒以内に照明が消えている状態に急激に遷移したことを検出できるため、照明をつけていない室内で日暮れに徐々に部屋が暗くなるままテレビジョン受像機を見ているときには、勝手に電源がオフされることはなくなる。
【００２３】
さらには、２秒程度の余裕（注、貴原稿では「尤度」となっていましたが、適切な表現ではないと考えますので、「余裕」と変更します。）を与えていることによって、可変ボリュームによって照度を調節するタイプの照明器具においても、ボリュームを回して照明オフする場合にも電源オフできることになる。
ここで、明るさ遷移期間としては、日暮れ時に徐々に暗くなる状態を排除でき、かつ、可変ボリューム型の照明スイッチによって照明オフされるのに十分な時間であれば２秒にこだわる必要はない。
さらには、照明オフ状態を４秒検出するので、人などがテレビジョン受像機の前を横切ったときに一瞬光検出器部の照度が暗くなり、照明オフと検出されて電源がオフされてしまうこともない。
ここで、照明オフ状態の検出時間については、人などがテレビジョン受像機の前を横切る時間以上であれば４秒にこだわることはない。
【００２４】
以上説明したように、本実施の形態による電源制御装置は、受像した映像を表示する受像回路５と、受像回路５を駆動するための駆動電源４と、受像回路５に対して駆動電源４の出力をオン／オフするスイッチ３で構成され、光検出手段（光検出器１１）が検出する周囲明るさのレベル変動に応じてスイッチ３をオン／オフして受像回路５の駆動を制御する電源制御装置であって、受像回路５が設置されている場所の明るさが第１の明るさ以上またはより大（「より大」とは「第１の明るさより明るい明るさ」であることを意味する）であることを検出する照明オン検出手段と、照明オン検出手段によって明るさが第１の明るさ以上またはより大であることが検出された後に、予め定めた第１の時間内に上記第１の明るさよりも低い第２の明るさ以下または未満に遷移したことを検出する明るさ遷移検出手段と、第２の明るさ以下または未満に遷移した後に、第２の明るさが予め定めた第２の時間継続することを検出する照明オフ検出手段とで構成された電源制御手段２１を備え、電源制御手段２１は、照明オフ検出手段の検出結果に基づいてスイッチ３をオフとして受像回路２の駆動を停止する。
【００２５】
また、電源制御手段２１は、光検出手段が検出する明るさのレベルが第１の明るさ以上またはより大であることを検出する第１のコンパレータ６１、光検出手段が検出する周囲明るさのレベルが第２の明るさ以下または未満であることを検出する第２のコンパレータ６２、第１のコンパレータ６１および第２のコンパレータ６２の検出結果に基づいて、照明オン検出、明るさ遷移検出、照明オフ検出を行うマイコン９１で構成されている。
【００２６】
また、本実施の形態による電源制御方法は、映像表示装置の駆動電源オン／オフを制御する電源制御方法であって、映像表示装置が設置されている部屋の照明が点灯されており、上記部屋の明るさが第１の明るさ以上またはより大であることを検出する照明オン検出ステップ（Ｓ１０２）と、照明オン検出ステップにおいて部屋の明るさが第１の明るさ以上またはより大であることが検出された後に、予め定めた第１の時間内に第１の明るさよりも低い第２の明るさ以下または未満に遷移することを検出する明るさ遷移検出ステップ（Ｓ１０３）と、第２の明るさ以下または未満に遷移した後に、第２の明るさ以下または未満の状態が予め定めた第２の時間継続したことを検出すると、照明オフであると判断する照明オフ検出ステップ（Ｓ１０４）とを有し、照明オフ検出ステップにおける検出結果に基づいて、映像表示装置の駆動電源をオフにする。
【００２７】
従って、本実施の形態による電源制御装置あるいは電源制御方法によれば、日暮れに部屋の明るさが徐々に暗くなるような場合には意図せずテレビジョン受像機等の映像表示装置の電源が切れることはなく、且つ、夜に部屋の照明を消したときには自動的に映像表示装置の電源を切ることができる。
【００２８】
実施の形態２．
図５は、実施の形態２に係わる電源制御装置の概略構成を示すブロック図である。
本実施の形態では、図５に示すように電源制御手段２２はＡ／Ｄコンバータ７０とマイコン９２で構成されている。
後述するように、Ａ／Ｄコンバータ７０は、光検出器１１の出力電圧（アナログ電圧）を読み取ってデジタル値に変換し、変換されたデジタル信号を出力する。
また、マイコン９２は、内部にメモリ、タイマ、ＣＰＵなどを有しており、Ａ／Ｄコンバータ７０のデジタル信号に応じてスイッチ３をオン／オフし、受像回路５に対する駆動電源４の出力電圧の印加／不印加を制御する。
【００２９】
以下、図５に基づいて、本実施の形態による電源制御装置の動作について説明する。
光検出器１１によって周囲の明るさが電圧に変換され、さらにＡ／Ｄコンバータ７０によってデジタル信号に変換され、マイコン９２に入力される。
マイコン９２では、前述の実施の形態１の場合と同様に、図４に示したアルゴリズムで処理が行われる。
ただし、図４において、照明オン検出ステップ（Ｓ１０２）における照明オンの判定および照明オフ検出ステップ（Ｓ１０４）における照明オフの判定については、Ａ／Ｄコンバータ７０からの出力値（デジタル信号）を用いる点が実施の形態１の場合と異なる。
以下、実施の形態１との相違点について、より詳細に説明する。
【００３０】
光検出器１１が検出する照度（即ち、テレビジョン受像機等が設置されている部屋の明るさ）が３０ｌｘ（第１の明るさ）のときのＡ／Ｄコンバータ７０の出力値（即ち、マイコン９２の入力値）を“Ａ”、照度が１０ｌｘ（第２の明るさ）のときのＡ／Ｄコンバータ７０の出力値を“Ｂ”（０＜Ｂ＜Ａ＜２５６）とする。
マイコン９２内のメモリには、予め“Ａ”および“Ｂ”の値が記憶されている。
なお、この“Ａ”および“Ｂ”の値は、使用者が可変できるものであっても良い。
このとき、図４中の照明オン検出ステップ（Ｓ１０２）における照明オンの判定方法としては、Ａ／Ｄコンバータ７０の出力値（即ち、マイコン９２の入力値）が“Ａ”以上またはより大であるかどうかを判定すればよい。
【００３１】
同様に、照明オフ検出ステップ（Ｓ１０４）における照明オフの判定方法としては、Ａ／Ｄコンバータ７０の出力値（即ち、マイコン９２の入力値）が“Ｂ”以下または未満であることを判定すればよい。
その他の処理については、実施例１の説明と同じである。
なお、本実施の形態におけるＡ／Ｄコンバータ７０は、マイコン９２と別のものとして説明しているが、実際には、マイコン９２の機能の一部として取り込まれている場合が多いため、コストアップの要因にはならない。
【００３２】
なお、前述の説明ではＡ／Ｄコンバータ７０の出力値（即ち、マイコン９２の入力値）が閾値“Ａ”以上である場合に照明オンであると判定しているが、Ａ／Ｄコンバータ７０の出力値が閾値“Ａ”より大ある場合に照明オンであると判定してもよい。
また、Ａ／Ｄコンバータ７０の出力値が閾値“Ｂ”以下である場合に照明オフであると判定しているが、Ａ／Ｄコンバータ７０の出力値が閾値“Ｂ”未満である場合に照明オフであると判定してもよい。
【００３３】
以上説明したように、本実施の形態による電源制御装置は、受像した映像を表示する受像回路５と、受像回路５を駆動するための駆動電源４と、受像回路５に対して駆動電源４の出力をオン／オフするスイッチ３で構成され、光検出手段（光検出器１１）が検出する周囲明るさのレベル変動に応じてスイッチ３をオン／オフして受像回路５の駆動を制御する電源制御装置であって、受像回路５が設置されている場所の明るさが第１の明るさ以上またはより大であることを検出する照明オン検出手段と、照明オン検出手段によって明るさが第１の明るさ以上またはより大であることが検出された後に、予め定めた第１の時間内に上記第１の明るさよりも低い第２の明るさ以下または未満に遷移したことを検出する明るさ遷移検出手段と、第２の明るさ以下または未満に遷移した後に、第２の明るさが予め定めた第２の時間継続することを検出する照明オフ検出手段とで構成された電源制御手段２２を備えている。
そして、該電源制御手段２２は、光検出手段（光検出器１１）が検出する周囲明るさに対応する電圧が入力されるＡ／Ｄコンバータ７０、第１の明るさおよび第２の明るさに対応するＡ／Ｄコンバータの出力値が予め記憶されているマイコン９２で構成されており、マイコン９２は、Ａ／Ｄコンバータ７０の出力に基づいて、照明オン検出、明るさ遷移検出、照明オフ検出を行う。
【００３４】
前述の実施の形態においては、光検出器１１が検出する明るさのレベルが第１の明るさ以上であることを検出する第１のコンパレータ６１と光検出器１１が検出する周囲明るさのレベルが第２の明るさ以下であることを検出する第２のコンパレータ６２の２つのコンパレータを用いていた。
しかし、本実施の形態では、１つのＡ／Ｄコンバータを用いることによって、この２つのコンパレータの機能を実現しており、回路構成を簡単にすることができる。
【００３５】
実施の形態３．
図６は、実施の形態３に係わる電源制御装置の概略の構成を示すブロック図である。
前述の実施の形態１および２は、いずれも明るさを検出する光検出器を１つだけ用いた場合の例であった。
実施の形態１および２による電源制御装置では、テレビジョン受像機等の映像表示装置の前を人などが横切った場合は、ただ１つだけの光検出器への照明光が遮られ、部屋が暗くなったものと判断されて、電源制御装置が誤動作する恐れがある。
そこで、テレビジョン受像機等の映像表示装置の前を人などが横切ったことをより正確に、かつ、早く検出するために、光検出器を複数個使用することも考えられる。
以下、テレビジョン受像機等の映像表示装置の前を人などが横切った場合に、光検出器への照明光が遮られ、電源制御装置が誤動作するのを防止するために、光検出器を２個使用した場合の例について説明する。
【００３６】
本実施の形態における光検出手段１２は、図６に示すように、第１の光検出器１３と第２の光検出器１４の２つの光検出器で構成されている。
そして、この第１の光検出器１３と第２の光検出器１４は、図７に示すように、例えばテレビジョン受像機などの映像表示装置の筐体に所定の間隔（所定の距離）を設けて配置されている。
また、本実施の形態における電源制御手段２３は、図６に示すように、第１のＡ／Ｄコンバータ７１、第２のＡ／Ｄコンバータ７２およびマイコン９３で構成されている。
第１のＡ／Ｄコンバータ７１は、第１の光検出器１３の出力電圧を読み取ってデジタル値に変換し、変換されたデジタル信号をマイコン９３に出力する。
同様に、第２のＡ／Ｄコンバータ７２は、第２の光検出器１４の出力電圧を読み取ってデジタル値に変換し、変換されたデジタル信号をマイコン９３に出力する。
【００３７】
マイコン９３は、内部に、前述の第１の明るさおよび第２の明るさに対応する第１のＡ／Ｄコンバータと第２のＡ／Ｄコンバータの出力値が予め記憶されているメモリ、タイマおよびＣＰＵなどを有しており、第１および第２のＡ／Ｄコンバータが出力するデジタル信号に応じてスイッチ３をオン／オフし、受像回路５に対する駆動電源４の出力電圧の印加／不印加を制御する。
なお、本実施の形態においても、第１のＡ／Ｄコンバータ７１、第２のＡ／Ｄコンバータ７２およびマイコン９３は、一体に形成されたものであってもよい。
本実施の形態による電源制御装置の特徴的な動作について、以下に詳細に説明する。
【００３８】
図８は、映像表示装置が、例えば、２５インチ以上の中、大型のテレビジョン受像機の場合に、人などが夜に照明のついた部屋でテレビジョン受像機の前を右から左に横切ったときの第１のＡ／Ｄコンバータ７１および第２のＡ／Ｄコンバータ７２の出力値の変化を示したものである。
このようなサイズのテレビジョン受像機の場合は、人などが前を横切ったときに、２つの光検出器（即ち、第１の光検出器１３および第２の光検出器１４）に入射する照明光を同時に遮ることがないような間隔（距離）を設けて、２つの光検出器を配置できる。
人がテレビジョン受像機の前を横切る前は、図８に示すＴ１以前の期間のように、第１の光検出器１３および第２の光検出器１４は、いずれも照明の光を直接受光するので、第１のＡ／Ｄコンバータ７１および第２のＡ／Ｄコンバータ１２は、いずれも照明オンと判定される閾値“Ａ”よりも高い値が出力される。
【００３９】
人が右側に配置された第２の光検出器１４の前を横切り始めると、第２のＡ／Ｄコンバータ７２の出力が急激に下がり、Ｔ２−Ｔ４の期間では、照明オフと判定されてしまう閾値“Ｂ”を下回ってしまう。
しかし、その間でも、左側に配置された第１の光検出器１３の方は、照明が遮られていないため、第１のＡ／Ｄコンバータ７１の出力は、閾値“Ｂ”よりも高い。
さらに、人が左に移動していくと、第２の検出器１４の検出値は上がり、逆に第１の光検出器１３の検出値が下がってくる。
その結果、Ｔ５−Ｔ７の期間に示すように第１のＡ／Ｄコンバータ７１の出力値が閾値“Ｂ”よりも低くなってしまうが、その時には、第２のＡ／Ｄコンバータ７２の出力値が閾値“Ｂ”よりも高くなっている。
【００４０】
さらに、人が左に移動していき、第１の光検出器１３が遮られなくなると、Ｔ８以降の期間のように再び第１のＡ／Ｄコンバータ７１および第２のＡ／Ｄコンバータ７２の出力値が共に閾値“Ａ”を上回るようになる。
即ち、人が横切るときには、２つのＡ／Ｄコンバータ（即ち、第１のＡ／Ｄコンバータ７１および第２のＡ／Ｄコンバータ７２）の出力が共に閾値“Ｂ”を下回ることがなく、一方、実際に照明がオフされたときには、第１のＡ／Ｄコンバータ７１および第２のＡ／Ｄコンバータ７２の出力は共に閾値“Ｂ”を下回る。
従って、図４に示した照明オフ検出ステップ（Ｓ１０４）における照明オフの判定方法として、第１のＡ／Ｄコンバータ７１の出力値が“Ｂ”よりも低く、かつ、第２のＡ／Ｄコンバータ７２の出力値も“Ｂ”よりも低いかどうかを判定するようにすれば、４秒も待たずとも、人が横切ったのか、それとも照明がオフされたのかの区別を瞬時にすることが可能である。
従って、このシステムの場合、照明オフ検出ステップ（Ｓ１０４）における照明オフ検出時間は４秒よりも十分に短くすることが出来る。
【００４１】
一方、照明オン検出ステップ（Ｓ１０２）における照明オンの判定方法としては、第１のＡ／Ｄコンバータ７１または第２のＡ／Ｄコンバータ７２のどちらかが閾値“Ａ”以上であることを検出すれば良い。
ちなみに、図８においては、照明が遮られ始めてから完全に隠れてしまうまでの時間、例えば、Ｔ１−Ｔ２間、Ｔ３−Ｔ５間の時間については、裸電球のような１点光源であるのか、あるいは、シャンデリアや蛍光灯などの面状光源であるのか、によって変わってくるので、図８中のＴ３とＴ４、または、Ｔ５とＴ６の前後関係については、あまり意味はない。
【００４２】
一方、図９は、２０インチ以下の小型のテレビジョン受像機の場合に人などが夜に照明のついた部屋でテレビジョン受像機の前を右から左に横切ったときの第１のＡ／Ｄコンバータ７１および第２のＡ／Ｄコンバータ７２の出力値の変化を図示したものである。
このようなサイズのテレビジョン受像機の場合は、人などが横切ったときに、２つの光検出器を同時に照明からさえぎってしまう瞬間が存在する。
まず、第２の光検出器１４が照明から遮られ、第２のＡ／Ｄコンバータ７２の出力は時刻Ｔ３以降で閾値“Ｂ”を下回り、引き続き第１の光検出器１３も照明から遮られて、第１のＡ／Ｄコンバータ７１の出力も時刻Ｔ４以降で閾値“Ｂ”を下回る。
その後、時刻Ｔ５で第２の光検出器１４が照明の影から抜け出して第２のＡ／Ｄコンバー７２の出力が閾値“Ｂ”以上に復活する。
その後、時刻Ｔ６になって、第１の光検出器１３も照明の影から抜け出して第１のＡ／Ｄコンバータ７１の出力も閾値“Ｂ”以上に復活する。
【００４３】
即ち、このケースでは、Ｔ４−Ｔ５間は第１のＡ／Ｄコンバータ７１および第２のＡ／Ｄコンバータ７２のいずれもが共に閾値“Ｂ”を下回ることになる。
従って、前記した大型テレビジョン受像機の場合のような照明オフの判定方法だけでは人が横切ったのか、照明が実際にオフされたのかの区別が出来ないことになる。
しかし、この場合にも、２つのＡ／Ｄコンバータ（即ち、第１のＡ／Ｄコンバータ７１および第２のＡ／Ｄコンバータ７２）が閾値“Ｂ”を下回った時刻の差、即ちＴ３−Ｔ４の時間に着目することによって、人が横切った場合と照明がオフされた場合の区別をすることが可能である。
【００４４】
即ち、人が横切った場合は、Ｔ３とＴ４の時間差｜Ｔ４−Ｔ３｜は、
｜Ｔ４−Ｔ３｜ ＝ Ｌ／ｖ                                      式（１）
ここで、Ｌは第１の光検出器１３と第２の光検出器１４の間隔、
ｖは人が横切るスピード
であるが、照明がオフされた場合は、｜Ｔ４−Ｔ３｜は基本的に“０”とみなされる。
ただし、実際のマイコンの処理においては、第１のＡ／Ｄコンバータ７１と第２のＡ／Ｄコンバータ７２からの入力のタイミングの差によって、片方のＡ／Ｄコンバータの検出値が閾値“Ｂ”を下回っても、他方のＡ／Ｄコンバータの検出値がまだ閾値“Ｂ”を下回っていない可能性もある。
この場合には、Ｔ３、Ｔ４が１判定周期分（ここでは５０ｍｓ分）ずれて検出されることもある。
【００４５】
よって、照明がオフされた場合は、
｜Ｔ４−Ｔ３｜ ≦ １＊（判定周期）                              式（２）
とすることが出来る。よって、人が横切った場合には、必ず
｜Ｔ４−Ｔ３｜ ＞ １＊（判定周期）                              式（３）
となっていれば、人が横切った場合と照明オフされた場合を区別することが出来る。
なお、式（２）および式（３）において、“＊”は×（積）を表している。
逆に、式（１）、式（３）より、
（判定周期） ＜ L／v                                            式（４）
が要求される。
具体的には、人が家の中で小走りをして、小型のテレビジョン受像機の前を２ｍ／秒で横切る場合でも、例えば、第１および第２の光検出器の間隔が２０ｃｍの場合では、判定周期は１００ｍｓ未満であればよい。本実施の形態における判定周期の５０ｍｓは、この条件を満足するものである。
【００４６】
さらに、式（４）を満足するとき、図１０のアルゴリズムに示した照明オフ検出ステップを設けることによって人が横切った場合には電源オフされず、照明オフされたときだけ電源オフすることが可能となる。
図１０は、本実施の形態における電源制御装置の照明オフ検出ステップを示したものであり、図４に示した実施の形態１における全検出ステップ（動作アルゴリズム）のうちの照明オフ検出ステップ（Ｓ１０４）に相当するものである。
なお、本実施の形態における電源制御装置の初期設定ステップ、照明オン検出ステップおよび遷移検出ステップは、図４における初期設定ステップ（Ｓ１０１）、照明オン検出ステップ（Ｓ１０２）および遷移検出ステップ（Ｓ１０３）と同一である。
【００４７】
以下、図１０に示した照明オフ検出ステップについて詳細に説明する。
予め、第１のＡ／Ｄコンバータ７１に対応するオフカウンタ１と第２のＡ／Ｄコンバータ７２に対応するオフカウンタ２を用意しておく。共にカウンターの初期値は０である。
まず、第１のＡ／Ｄコンバータ７１出力が閾値“Ｂ”を下回っているかを判定し、下回っていたらオフカウンタ１を１つ増やし、下回っていなかったらオフカウンタ１を“０”クリアする。
次に、第２のＡ／Ｄコンバータ７２の出力が閾値“Ｂ”を下回っているかを判定し、下回っていたらオフカウンタ２を１つ増やし、下回っていなければオフカウンタ２を“０”クリアする。
ここで、オフカウンタ１とオフカウンタ２の差が１以下であるかどうかを判定し、１以下でなければ、人が横切ったとみなし、全てのカウンタを０クリアし、照明オン検出ステップの最初からやり直す。
１以下ならば、照明オフが検出されたとみなす。さらに、照明オフが検出された場合、所定のカウンタ値（ここでは１０）に到達、即ち０．５秒間継続して照明オフが検出されていたら、電源を落とす。
【００４８】
なお、上述の説明では、光検出器およびＡ／Ｄコンバータそれぞれ２つである場合について説明したが、これらは２つ以上であれば同様の処理をすることが出来る。
即ち、オフカウンタを光検出器の数だけ用意しそれらのカウンタ値の差分が１以下でないとき、即ち、Ａ／Ｄコンバータの出力が閾値“Ｂ”を下回った時刻の差が判定周期以下でないときには、人が横切ったと判断することにより、小型のテレビジョン受像機でも確実に人が横切った時の誤動作を防ぐことが出来る。さらに、この処理方法は、中、大型のテレビジョン受像機に対しても適応できることは言うまでも無い。
また、閾値“Ｂ”を下回る時刻の差については、理想的には判定周期の１倍であるが、式（４）を満たす範囲で、判定周期の２倍または３倍であっても同様の効果が得られる。
【００４９】
以上説明したように、本実施の形態による電源制御装置は、受像した映像を表示する受像回路５と、受像回路５を駆動するための駆動電源４と、受像回路５に対して駆動電源４の出力をオン／オフするスイッチ３で構成され、光検出手段１２が検出する周囲明るさのレベル変動に応じてスイッチ３をオン／オフして受像回路５の駆動を制御する電源制御装置であって、受像回路５が設置されている場所の明るさが第１の明るさ以上またはより大であることを検出する照明オン検出手段と、照明オン検出手段によって明るさが第１の明るさ以上またはより大であることが検出された後に、予め定めた第１の時間内に第１の明るさよりも低い第２の明るさ以下または未満に遷移したことを検出する明るさ遷移検出手段と、第２の明るさ以下または未満に遷移した後に、第２の明るさが予め定めた第２の時間継続することを検出する照明オフ検出手段とで構成された電源制御手段２３を備えている。
【００５０】
そして、光検出手段１２は、所定の間隔を設けて配置された第１の光検出器１３と第２の光検出器１４で構成され、電源制御手段２３は、第１の光検出器１３が検出する周囲明るさに対応する電圧が入力される第１のＡ／Ｄコンバータ７１、第２の光検出器１４が検出する周囲明るさに対応する電圧が入力される第２のＡ／Ｄコンバータ７２、第１の明るさおよび第２の明るさに対応する第１のＡ／Ｄコンバータ１３と第２のＡ／Ｄコンバータ１４の出力値が予め記憶されているマイコン９３とで構成されており、照明オフ検出手段は、第１の光検出器１３および第２の光検出器１４の検出レベルが、第２の明るさに対応するレベル以下または未満であるときに照明オフと判断する。
【００５１】
また、本実施の形態による電源制御装置の照明オフ検出手段は、第１の光検出器１３と第２の光検出器１４の検出レベルが第２の明るさに対応するレヘル以下または未満になった時刻の差が所定の時間以内または未満であるときに照明オフと判断する。
【００５２】
また、本実施の形態による電源制御方法は、映像表示装置が設置されている部屋の照明が点灯されており、部屋の明るさが第１の明るさ以上またはより大であることを検出する照明オン検出ステップＳ１０２と、照明オン検出ステップ１０２において部屋の明るさが第１の明るさ以上またはより大であることが検出された後に、予め定めた第１の時間内に第１の明るさよりも低い第２の明るさ以下または未満に遷移することを検出する明るさ遷移検出ステップＳ１０３と、第２の明るさ以下または未満に遷移した後に、第２の明るさ以下または未満の状態が予め定めた第２の時間継続したことを検出すると、照明オフであると判断する照明オフ検出ステップＳ１０４とを有し、照明オフ検出ステップにおける検出結果に基づいて、映像表示装置の駆動電源をオン／オフする電源制御方法であって、
部屋の明るさは、所定の間隔を設けて配置された第１の光検出器１３と第２の光検出器１４を用いて検出され、照明オフ検出ステップＳ１０４は、第１の光検出器１３と第２の光検出器１４の検出レベルが第２の明るさ以下または未満であるときに、照明オフと判断する。
【００５３】
また、本実施の形態による電源制御方法によれば、部屋の明るさは、所定の間隔を設けて配置された第１の光検出器１３と第２の光検出器１４を用いて検出され、照明オフ検出ステップＳ１０４は、第１の光検出器１３と第２の光検出器１４の検出レベルが第２の明るさに対応するレベル以下または未満になった時刻の差が、所定の時間以内または未満であるときに照明オフと判断する。
【００５４】
従って、本実施の形態による電源制御装置あるいは電源制御方法によれば、日暮れに部屋の明るさが徐々に暗くなるような場合に視聴していたテレビジョン受像機等の映像表示装置の電源が意図せず切れることはなく、且つ、夜に部屋の照明を消したときには自動的に映像表示装置の電源を切ることができると共に、更に、映像表示装置の前を人が横切って光検出器への照明光が遮られるような場合であっても、部屋が暗くなったものと判断されて、電源制御装置が誤動作するのを防止することができる。
【００５５】
なお、以上の実施の形態１〜３においては、部屋の明るさに応じてテレビジョン受像機のような受像回路に対して電源をオン／オフ制御する電源制御装置の例について述べたが、映像を表示する表示装置とこれを駆動する駆動電源とで構成される映像表示装置に対して、このような電源制御装置を組み込んでもよい。
これにより、日暮れに部屋の明るさが徐々に暗くなるような場合でも視聴していた表示装置の電源が意図せず切れることはなく、且つ、夜に部屋の照明を消したときには自動的に表示装置の電源を切ることができる映像表示装置を得ることができる。
また、表示装置の前を人が横切った場合であっても、部屋が暗くなったものと判断されて、電源がオフとなる誤動作を防止できる映像表示装置を得ることができる。
また、以上の実施の形態１〜３においては、テレビジョン受像機のような映像表示装置に対して電源をオン／オフ制御する電源制御装置について述べたが、このような映像表示装置はテレビジョン受像機に限られるものではなく、映像を表示するパソコンや投写型の表示装置などであってもよいことは言うまでもない。
【産業上の利用可能性】
【００５６】
この発明は、部屋の明るさが徐々に暗くなる日暮れ時に、視聴していた映像表示装置の電源が意図せず切れることはなく、且つ、夜に部屋の照明を消したときには自動的に映像表示装置の電源を切ることができる電源制御装置の実現に有用である。
【図面の簡単な説明】
【００５７】
【図１】この発明に係わる電源制御装置の構成を概念的に示すブロック図である。
【図２】この発明の実施の形態１による電源制御装置の概略構成を示すブロック図である。
【図３】映像表示装置が設置されている場所の動作環境（明るさ）の変化の変化例を示す図である。
【図４】実施の形態による電源制御装置の動作アルゴリズムを説明するためのフローチャートである。  この発明の実施例１の電源制御手段の動作を示すアルゴリズムである。
【図５】実施の形態２に係わる電源制御装置の概略構成を示すブロック図である。
【図６】実施の形態３に係わる電源制御装置の概略構成を示すブロック図である。
【図７】実施の形態３において、２つの光検出器の配置状態を示す図である。
【図８】実施の形態３において、人が中型・大型映像表示装置の前を横切ったときの電源制御手段の動作を説明するための図である。
【図９】実施の形態３において、人が小型映像表示装置の前を横切ったときの電源制御手段の動作を説明するための図である。
【図１０】実施の形態３における照明オフ検出ステップの動作アルゴリズムを説明するためのフローチャートである。
【符号の説明】
【００５８】
１  光検出手段                      ２  電源制御手段
３  スイッチ                        ４  駆動電源
５  受像回路
１１  光検出器                      １２  光検出手段
１３  第１の光検出器                １４  第２の光検出器
２０、２２、２３  電源制御手段
６１  第１のンパレータ              ６２  第２のコンパレータ
７０  Ａ／Ｄコンバータ
７１  第１のＡ／Ｄコンバータ        ７２  第２のＡ／Ｄコンバータ
９１、９２、９３  マイコン
【図１】
0004771839.tif 000002
【図２】
0004771839.tif 000003
【図３】
0004771839.tif 000004
【図４】
0004771839.tif 000005
【図５】
0004771839.tif 000006
【図６】
0004771839.tif 000007
【図７】
0004771839.tif 000008
【図８】
0004771839.tif 000009
【図９】
0004771839.tif 000010
【図１０】
0004771839.tif 000011